(57)【要約】【課題】  本発明は、鼠は狭い空間からでも機体内に出入りするため、防鼠用の蓋による対応も困難である。本発明は簡単な構成で防鼠対策を行なうことを課題とする。【解決手段】  籾を脱ぷする籾摺部（２）と、籾摺部（２）で脱ぷした籾と玄米の混合米とを選別する選別装置（８，１５）と、該選別装置（８，１５）の周囲を覆うと共に複数の貫通孔（１２ａ）を形成する外装カバー（１２）とを設け、該外装カバー（１２）の外側面には害虫害獣用の忌避剤（１４）を収容できる箱（１３）を取り付け、該箱（１３）の上面には開閉蓋（１３ａ）を設けると共に箱（１３）の底面には貫通孔（１３ｂ）を設け、箱（１３）内部と外装カバー（１２）内部とを連通して害虫害獣用の忌避剤（１４）の成分が選別装置（８，１５）に浸透するようにする。【選択図】  図１
2010069436.tif 000002
【特許請求の範囲】
【請求項１】
籾を脱ぷする籾摺部（２）と、籾摺部（２）で脱ぷした籾と玄米の混合米とを選別する選別装置（８，１５）と、該選別装置（８，１５）の周囲を覆うと共に複数の貫通孔（１２ａ）を形成する外装カバー（１２）とを設け、該外装カバー（１２）の外側面には害虫害獣用の忌避剤（１４）を収容する箱（１３）を取り付け、該箱（１３）の上面には開閉蓋（１３ａ）を設けると共に箱（１３）の底面には貫通孔（１３ｂ）を設け、箱（１３）内部と外装カバー（１２）内部とを連通する構成としたことを特徴とする籾摺選別機の害虫害獣忌避装置。
【発明の詳細な説明】
【技術分野】
【０００１】
本発明は、籾摺選別機に関する。
【背景技術】
【０００２】
特許文献１には鼠進入禁止のための脱着可能な蓋を設ける構成が記載されている。
【特許文献１】特開２０００‐１８５２６１号公報
【発明の開示】
【発明が解決しようとする課題】
【０００３】
鼠等の害獣は狭い空間からでも機体内に出入りするため、防鼠用の蓋による対応も困難である。本発明は簡単な構成で防鼠対策を行なうことを課題とする。
【課題を解決するための手段】
【０００４】
本発明は、上記課題を解決するために以下のような技術的手段を講じた。
すなわち、請求項１の発明では、籾を脱ぷする籾摺部（２）と、籾摺部（２）で脱ぷした籾と玄米の混合米とを選別する選別装置（８，１５）と、該選別装置（８，１５）の周囲を覆うと共に複数の貫通孔（１２ａ）を形成する外装カバー（１２）とを設け、該外装カバー（１２）の外側面には害虫害獣用の忌避剤（１４）を収容する箱（１３）を取り付け、該箱（１３）の上面には開閉蓋（１３ａ）を設けると共に箱（１３）の底面には貫通孔（１３ｂ）を設け、箱（１３）内部と外装カバー（１２）内部とを連通する構成としたことを特徴とする籾摺選別機の害虫害獣忌避装置とする。
【発明の効果】
【０００５】
籾摺選別機を納屋に収納するときには開閉蓋（１３ａ）を開けて害虫害獣用の忌避剤（１４）を収容し開閉蓋（１３ａ）を閉じると、害虫害獣用の忌避剤（１４）の成分が箱（１３）の貫通孔（１３ｂ）と外装カバー（１２）の貫通孔（１２ａ）を通過して外装カバー（１２）内部の選別装置（８，１２）に浸透する。このように簡単な構成で選別装置に鼠が出入りするのを防止することができる。また、害虫害獣用の忌避剤（１４）の入れ替えも外装カバー（１２）の脱着作業等を必要とせず簡単に行なえる。
【発明を実施するための最良の形態】
【０００６】
上記技術思想に基づいて具体的に構成された実施の形態について以下に図面を参照しつつ説明する。
図１は正面から見た籾摺選別機の内部を示す断面図で、作業工程順に説明すると左右１側上部に籾ホッパ１、そしてその下部に籾ホッパの籾を籾摺する籾摺ロール２を設け、籾摺ロール２の下方には籾殻を吸引ファン３で風選する風選部４を設けている。
【０００７】
風選部４で風選された籾と玄米の混合米は混合米ラセン５で搬送され、混合米揚穀機６で選別部の回転選別筒８に供給すべく揚穀される構成である。
回転選別筒８は多数の壺穴８ａを形成すると共に横軸心に回転する構成とし、回転選別筒８内部には混合米を供給する混合米ラセン９と、回転選別筒８で選別された玄米を搬送する玄米ラセン１０を設けている。玄米ラセン１０で搬送された玄米は玄米揚穀機１１で機外に排出される構成である。
【０００８】
回転選別筒８の周囲を外装カバー１２で覆っている。そして、外装カバー１２の上面には貫通孔１２ａを複数個所設けている。そして、該貫通孔１２ａを設けた個所を覆うように箱１３を外装カバー１２の上面に取り付ける。
【０００９】
箱１３は図３に示すように、上部に開閉蓋１３ａを設け、底面には複数の貫通孔１３ｂを形成している。そして、図１に示すように外装カバー１２の貫通孔１２ａと箱１３の貫通孔１３ｂとを平面視で合わせるようにして箱１３を外装カバー１２に取り付けている。あるいは箱１３をその底部が外装カバー１２から若干乖離させた状態で外装カバー１２の上面に取り付けた場合に箱１３の貫通孔１３ｂと外装カバー１２の貫通穴１２ａの位置が平面視でずれていても良い。すなわち、箱１３内部の害虫害獣用の忌避剤１４の成分が箱１３の貫通孔１３ｂと外装カバー１２の貫通穴１２ａとを通過して外装カバー１２内部の回転選別筒８に浸透する構成ならば良い。
【００１０】
籾摺選別機を納屋等に収納するときには、開閉扉１３ａを開けて固形の害虫害獣用の忌避剤１４を入れ、そして、開閉蓋１３ａを閉じる。すると、害虫害獣用の忌避剤１４の成分が箱１３の貫通孔１３ｂ及び外装カバー１２の貫通孔１２ａを通過して外装カバー１２内に浸透するものである。
【００１１】
害虫害獣用の忌避剤１４は固形で形成しているものや、スポンジ等の弾性材に液体の忌避剤を浸透させたもの等で、その忌避剤の成分が気体となって外装カバー１２内の選別部に浸透させるものであれば良い。
【００１２】
特に回転選別筒８内は混合米が残留し、鼠が入り込みやすいので、害虫害獣用の忌避剤（１４）により鼠を入り難くする効果は大きい。また、外装カバー１３を脱着しなくても開閉蓋１３ａの開閉により害虫害獣用の忌避剤１４の入れ替えも容易であるため、納屋のように他の農機具も収納されて場所が狭いところでの作業もできる。また、万一電源が入っていた場合に回転選別筒８が回転しても巻き込まれるがなく安全である。また、既存の籾摺選別機の外装カバー１２に孔を形成して箱１３を取り付けることもできる。
【００１３】
なお、本発明では外装カバー１２の上面に取り付ける構成としたが、側面に取り付けることも可能である。
本実施の形態について、回転選別筒８を備える籾摺選別機について説明したが、混合米の選別を行なう選別装置として、回転選別筒８の代わりに図５、図６のような揺動選別板１５を供える籾摺選別機についても利用できる。すなわち、揺動選別板１５の周囲を覆う外装カバー１６に本実施の形態の箱１３を取り付ける構成でも良い。
【図面の簡単な説明】
【００１４】
【図１】正面から見た籾摺選別機の内部を示す断面図
【図２】左側面から見た籾摺選別機の内部を示す断面図
【図３】箱の斜視図
【図４】回転選別筒を備えた籾摺選別機の外観斜視図
【図５】揺動選別板を備えた籾摺選別機の外観斜視図
【図６】揺動選別板を供えた籾摺選別機の内部を説明する正面図
【符号の説明】
【００１５】
２    籾摺部
８    回転選別筒
１２    外装カバー
１２ａ  外装カバーの貫通孔
１３    箱
１３ａ  箱の開閉蓋
１４    害虫害獣用の忌避剤
【図１】
2010069436.tif 000003
【図２】
2010069436.tif 000004
【図３】
2010069436.tif 000005
【図４】
2010069436.tif 000006
【図５】
2010069436.tif 000007
【図６】
2010069436.tif 000008